【手続補正書】
【提出日】令和1年7月24日(2019.7.24)
【手続補正１】
【補正対象書類名】特許請求の範囲
【補正対象項目名】全文
【補正方法】変更
【補正の内容】
【特許請求の範囲】
【請求項１】
時分割複信（ＴＤＤ）フレーム構造に関連する一連のサブフレームのために通信媒体へのアクセスを求めて競合することと、
前記一連のサブフレームの第１の部分中に前記通信媒体上で送信することと、
前記一連のサブフレームの第２の部分中に前記通信媒体上で送信することを控えることと、
前記一連のサブフレーム中の送信のために指定された１つまたは複数のシンボル期間中に前記通信媒体上での送信をミュートすることと、
前記１つまたは複数のシンボル期間中に、前記一連のサブフレームの第３の部分のために前記通信媒体へのアクセスを求めて再競合することと、
前記一連のサブフレームの前記第３の部分中に前記通信媒体上で送信することと
を備える、通信方法。
【請求項２】
前記１つまたは複数のシンボル期間が、前記一連のサブフレームの前記第２の部分中の最後のアップリンクサブフレームの最後のシンボル期間を備え、
前記ミュートすることが、前記最後のアップリンクサブフレームの前記最後のシンボル期間中の送信のためにいかなるアクセス端末をも構成することを控えることを備える、請求項１に記載の方法。
【請求項３】
前記１つまたは複数のシンボル期間が、サウンディング基準信号（ＳＲＳ）の送信のために指定される、請求項２に記載の方法。
【請求項４】
前記１つまたは複数のシンボル期間中にＳＲＳギャップのインジケーションをブロードキャストすることをさらに備える、請求項３に記載の方法。
【請求項５】
前記１つまたは複数のシンボル期間が、前記一連のサブフレームの前記第３の部分中の第１のダウンリンクサブフレームの第１のシンボル期間を備え、
前記ミュートすることが、前記第１のダウンリンクサブフレームの前記第１のシンボル期間中にアクセスポイントによって送信することを控えることを備える、
請求項１に記載の方法。
【請求項６】
前記１つまたは複数のシンボル期間が、物理ダウンリンク制御チャネル（ＰＤＣＣＨ）の送信のために指定される、請求項５に記載の方法。
【請求項７】
別のチャネルまたは別のキャリアを介して、前記ＰＤＣＣＨのために指定された制御シグナリングを送ることをさらに備える、請求項６に記載の方法。
【請求項８】
前記一連のサブフレームのために前記通信媒体を予約するために、チャネル予約メッセージを送信することをさらに備える、請求項１に記載の方法。
【請求項９】
時分割複信（ＴＤＤ）フレーム構造に関連する一連のサブフレームのために通信媒体へのアクセスを求めて競合するための手段と、
前記一連のサブフレームの第１の部分中に前記通信媒体上で送信するための手段と、
前記一連のサブフレームの第２の部分中に前記通信媒体上で送信することを控えるための手段と、
前記一連のサブフレーム中の送信のために指定された１つまたは複数のシンボル期間中に前記通信媒体上での送信をミュートするための手段と、
前記１つまたは複数のシンボル期間中に、前記一連のサブフレームの第３の部分のために前記通信媒体へのアクセスを求めて再競合するための手段と、
前記一連のサブフレームの前記第３の部分中に前記通信媒体上で送信するための手段と
を備える、通信装置。
【請求項１０】
前記１つまたは複数のシンボル期間が、前記一連のサブフレームの前記第２の部分中の最後のアップリンクサブフレームの最後のシンボル期間を備え、
ミュートするための前記手段が、前記最後のアップリンクサブフレームの前記最後のシンボル期間中の送信のためにいかなるアクセス端末をも構成することを控えるための手段を備える、
請求項９に記載の装置。
【請求項１１】
前記１つまたは複数のシンボル期間が、サウンディング基準信号（ＳＲＳ）の送信のために指定され、
前記装置が、前記１つまたは複数のシンボル期間中にＳＲＳギャップのインジケーションをブロードキャストするための手段をさらに備える、
請求項１０に記載の装置。
【請求項１２】
前記１つまたは複数のシンボル期間が、前記一連のサブフレームの前記第３の部分中の第１のダウンリンクサブフレームの第１のシンボル期間を備え、
ミュートするための前記手段が、前記第１のダウンリンクサブフレームの前記第１のシンボル期間中にアクセスポイントによって送信することを控えるための手段を備える、請求項９に記載の装置。
【請求項１３】
前記１つまたは複数のシンボル期間が、物理ダウンリンク制御チャネル（ＰＤＣＣＨ）の送信のために指定される、請求項１２に記載の装置。
【請求項１４】
別のチャネルまたは別のキャリアを介して、前記ＰＤＣＣＨのために指定された制御シグナリングを送るための手段をさらに備える、請求項１３に記載の装置。
【請求項１５】
請求項１〜請求項８のうちのいずれか一項の方法のすべてのステップを実行するためにコンピュータによって実行可能であるプログラム命令を備える、コンピュータプログラム。
【手続補正２】
【補正対象書類名】明細書
【補正対象項目名】０１０２
【補正方法】変更
【補正の内容】
【０１０２】
[00119]上記の開示は、様々な例示的な態様を示しているが、添付の特許請求の範囲によって定義される範囲から逸脱することなく、様々な変更および修正が、示された例に対して行われ得ることに留意されたい。本開示は、具体的に示された例のみに限定されるものではない。たとえば、別段に記載されていない限り、本明細書で説明された本開示の態様による方法クレームの機能、ステップおよび／またはアクションは、特定の順序で実施されなくてもよい。さらに、いくつかの態様は、単数形で説明または請求されていることがあるが、単数形への限定が明示的に述べられていない限り、複数形が企図される。
以下に本願の出願当初の特許請求の範囲に記載された発明を付記する。
[Ｃ１]  時分割複信（ＴＤＤ）フレーム構造に関連する一連のサブフレームのために通信媒体へのアクセスを求めて競合することと、
前記一連のサブフレームの第１の部分中に前記通信媒体上で送信することと、
前記一連のサブフレームの第２の部分中に前記通信媒体上で送信することを控えることと、
前記一連のサブフレーム中の送信のために指定された１つまたは複数のシンボル期間中に前記通信媒体上での送信をミュートすることと、
前記１つまたは複数のシンボル期間中に、前記一連のサブフレームの第３の部分のために前記通信媒体へのアクセスを求めて再競合することと、
前記一連のサブフレームの前記第３の部分中に前記通信媒体上で送信することと
を備える、通信方法。
[Ｃ２]  前記１つまたは複数のシンボル期間が、前記一連のサブフレームの前記第２の部分中の最後のアップリンクサブフレームの最後のシンボル期間を備え、
前記ミュートすることが、前記最後のアップリンクサブフレームの前記最後のシンボル期間中の送信のためにいかなるアクセス端末をも構成することを控えることを備える、Ｃ１に記載の方法。
[Ｃ３]  前記１つまたは複数のシンボル期間が、サウンディング基準信号（ＳＲＳ）の送信のために指定される、Ｃ２に記載の方法。
[Ｃ４]  前記１つまたは複数のシンボル期間中にＳＲＳギャップのインジケーションをブロードキャストすることをさらに備える、Ｃ３に記載の方法。
[Ｃ５]  前記１つまたは複数のシンボル期間が、前記一連のサブフレームの前記第３の部分中の第１のダウンリンクサブフレームの第１のシンボル期間を備え、
前記ミュートすることが、前記第１のダウンリンクサブフレームの前記第１のシンボル期間中にアクセスポイントによって送信することを控えることを備える、
Ｃ１に記載の方法。
[Ｃ６]  前記１つまたは複数のシンボル期間が、物理ダウンリンク制御チャネル（ＰＤＣＣＨ）の送信のために指定される、Ｃ５に記載の方法。
[Ｃ７]  別のチャネルまたは別のキャリアを介して、前記ＰＤＣＣＨのために指定された制御シグナリングを送ることをさらに備える、Ｃ６に記載の方法。
[Ｃ８]  前記一連のサブフレームのために前記通信媒体を予約するために、チャネル予約メッセージを送信することをさらに備える、Ｃ１に記載の方法。
[Ｃ９]  少なくとも１つのプロセッサと、
前記少なくとも１つのプロセッサに結合された少なくとも１つのメモリと、前記少なくとも１つのプロセッサおよび前記少なくとも１つのメモリが、時分割複信（ＴＤＤ）フレーム構造に関連する一連のサブフレームのために通信媒体へのアクセスを求めて競合するように構成された、
前記一連のサブフレームの第１の部分中に前記通信媒体上で送信することと、前記一連のサブフレームの第２の部分中に前記通信媒体上で送信することを控えることとを行うように構成された、少なくとも１つのトランシーバと
を備え、
ここにおいて、前記少なくとも１つのプロセッサおよび前記少なくとも１つのメモリが、前記一連のサブフレーム中の送信のために指定された１つまたは複数のシンボル期間中に前記通信媒体上での送信をミュートすることと、前記１つまたは複数のシンボル期間中に、前記一連のサブフレームの第３の部分のために前記通信媒体へのアクセスを求めて再競合することとを行うようにさらに構成され、
ここにおいて、前記少なくとも１つのトランシーバが、前記一連のサブフレームの前記第３の部分中に前記通信媒体上で送信するようにさらに構成された、
通信装置。
[Ｃ１０]  前記１つまたは複数のシンボル期間が、前記一連のサブフレームの前記第２の部分中の最後のアップリンクサブフレームの最後のシンボル期間を備え、
前記少なくとも１つのプロセッサおよび前記少なくとも１つのメモリが、前記最後のアップリンクサブフレームの前記最後のシンボル期間中の送信のためにいかなるアクセス端末をも構成することを控えるようにさらに構成された、
Ｃ９に記載の装置。
[Ｃ１１]  前記１つまたは複数のシンボル期間が、サウンディング基準信号（ＳＲＳ）の送信のために指定される、Ｃ１０に記載の装置。
[Ｃ１２]  前記少なくとも１つのトランシーバが、前記１つまたは複数のシンボル期間中にＳＲＳギャップのインジケーションをブロードキャストするようにさらに構成された、Ｃ１１に記載の装置。
[Ｃ１３]  前記１つまたは複数のシンボル期間が、前記一連のサブフレームの前記第３の部分中の第１のダウンリンクサブフレームの第１のシンボル期間を備え、
前記少なくとも１つのプロセッサおよび前記少なくとも１つのメモリが、前記第１のダウンリンクサブフレームの前記第１のシンボル期間中にアクセスポイントによって送信することを控えるようにさらに構成された、
Ｃ９に記載の装置。
[Ｃ１４]  前記１つまたは複数のシンボル期間が、物理ダウンリンク制御チャネル（ＰＤＣＣＨ）の送信のために指定される、Ｃ１３に記載の装置。
[Ｃ１５]  前記少なくとも１つのトランシーバが、別のチャネルまたは別のキャリアを介して、前記ＰＤＣＣＨのために指定された制御シグナリングを送るようにさらに構成された、Ｃ１４に記載の装置。
[Ｃ１６]  前記少なくとも１つのトランシーバが、前記一連のサブフレームのために前記通信媒体を予約するために、チャネル予約メッセージを送信するようにさらに構成された、Ｃ９に記載の装置。
[Ｃ１７]  時分割複信（ＴＤＤ）フレーム構造に関連する一連のサブフレームのために通信媒体へのアクセスを求めて競合するための手段と、
前記一連のサブフレームの第１の部分中に前記通信媒体上で送信するための手段と、  前記一連のサブフレームの第２の部分中に前記通信媒体上で送信することを控えるための手段と、
前記一連のサブフレーム中の送信のために指定された１つまたは複数のシンボル期間中に前記通信媒体上での送信をミュートするための手段と、
前記１つまたは複数のシンボル期間中に、前記一連のサブフレームの第３の部分のために前記通信媒体へのアクセスを求めて再競合するための手段と、
前記一連のサブフレームの前記第３の部分中に前記通信媒体上で送信するための手段とを備える、通信装置。
[Ｃ１８]  前記１つまたは複数のシンボル期間が、前記一連のサブフレームの前記第２の部分中の最後のアップリンクサブフレームの最後のシンボル期間を備え、
ミュートするための前記手段が、前記最後のアップリンクサブフレームの前記最後のシンボル期間中の送信のためにいかなるアクセス端末をも構成することを控えるための手段を備える、
Ｃ１７に記載の装置。
[Ｃ１９]  前記１つまたは複数のシンボル期間が、サウンディング基準信号（ＳＲＳ）の送信のために指定される、Ｃ１８に記載の装置。
[Ｃ２０]  前記１つまたは複数のシンボル期間中にＳＲＳギャップのインジケーションをブロードキャストするための手段をさらに備える、Ｃ１９に記載の装置。
[Ｃ２１]  前記１つまたは複数のシンボル期間が、前記一連のサブフレームの前記第３の部分中の第１のダウンリンクサブフレームの第１のシンボル期間を備え、
ミュートするための前記手段が、前記第１のダウンリンクサブフレームの前記第１のシンボル期間中にアクセスポイントによって送信することを控えるための手段を備える、Ｃ１７に記載の装置。
[Ｃ２２]  前記１つまたは複数のシンボル期間が、物理ダウンリンク制御チャネル（ＰＤＣＣＨ）の送信のために指定される、Ｃ２１に記載の装置。
[Ｃ２３]  別のチャネルまたは別のキャリアを介して、前記ＰＤＣＣＨのために指定された制御シグナリングを送るための手段をさらに備える、Ｃ２２に記載の装置。
[Ｃ２４]  プロセッサによって実行されたとき、前記プロセッサに通信のための動作を実施させるコードを備える非一時的コンピュータ可読媒体であって、前記非一時的コンピュータ可読媒体が、
時分割複信（ＴＤＤ）フレーム構造に関連する一連のサブフレームのために通信媒体へのアクセスを求めて競合するためのコードと、
前記一連のサブフレームの第１の部分中に前記通信媒体上で送信するためのコードと、  前記一連のサブフレームの第２の部分中に前記通信媒体上で送信することを控えるためのコードと、
前記一連のサブフレーム中の送信のために指定された１つまたは複数のシンボル期間中に前記通信媒体上での送信をミュートするためのコードと、
前記１つまたは複数のシンボル期間中に、前記一連のサブフレームの第３の部分のために前記通信媒体へのアクセスを求めて再競合するためのコードと、
前記一連のサブフレームの前記第３の部分中に前記通信媒体上で送信するためのコードと
を備える、非一時的コンピュータ可読媒体。
[Ｃ２５]  前記１つまたは複数のシンボル期間が、前記一連のサブフレームの前記第２の部分中の最後のアップリンクサブフレームの最後のシンボル期間を備え、
ミュートするための前記コードが、前記最後のアップリンクサブフレームの前記最後のシンボル期間中の送信のためにいかなるアクセス端末をも構成することを控えるためのコードを備える、
Ｃ２４に記載の非一時的コンピュータ可読媒体。
[Ｃ２６]  前記１つまたは複数のシンボル期間が、サウンディング基準信号（ＳＲＳ）の送信のために指定される、Ｃ２５に記載の非一時的コンピュータ可読媒体。
[Ｃ２７]  前記１つまたは複数のシンボル期間中にＳＲＳギャップのインジケーションをブロードキャストするためのコードをさらに備える、Ｃ２６に記載の非一時的コンピュータ可読媒体。
[Ｃ２８]  前記１つまたは複数のシンボル期間が、前記一連のサブフレームの前記第３の部分中の第１のダウンリンクサブフレームの第１のシンボル期間を備え、
ミュートするための前記コードが、前記第１のダウンリンクサブフレームの前記第１のシンボル期間中にアクセスポイントによって送信することを控えるためのコードを備える、
Ｃ２４に記載の非一時的コンピュータ可読媒体。
[Ｃ２９]  前記１つまたは複数のシンボル期間が、物理ダウンリンク制御チャネル（ＰＤＣＣＨ）の送信のために指定される、Ｃ２８に記載の非一時的コンピュータ可読媒体。
[Ｃ３０]  別のチャネルまたは別のキャリアを介して、前記ＰＤＣＣＨのために指定された制御シグナリングを送るためのコードをさらに備える、Ｃ２９に記載の非一時的コンピュータ可読媒体。